【手続補正書】
【提出日】平成21年12月3日(2009.12.3)
【手続補正１】
【補正対象書類名】特許請求の範囲
【補正対象項目名】全文
【補正方法】変更
【補正の内容】
【特許請求の範囲】
【請求項１】
とりわけカメラ（１０）のための光伝搬時間測定方法であって、以下のステップ：
（ａ）クロック制御部（１１）によりクロック変調され、第１の送信器（１２）を介して放射される第一の光信号を少なくとも１つの光区間（１４）に入射するステップ、
ただし前記第１の信号光は前記第１の送信機（１２）から対象物（Ｏ）に達し、該対象物（Ｏ）から少なくとも１つの受信機（１３）に反射され、
（ｂ）反射された第１の光信号に依存する第１の信号（Ｓ１３）を、前記受信機（１３）によって該受信器の出力端（１３ａ）に形成するステップ、
（ｃ）第２の送信器（２１）から入射された第２の光信号に依存する第２の信号（Ｓ１３）を、前記受信機（１３）によって該受信器（１３）の出力端（１３ａ）に、同じクロックではるがインバータ（２２）により反転されたクロックを有する第２の光信号を前記第２の送信器（２１）により前記受信器（１３）に入射することによって形成するステップ、
ただし前記第２の光信号は光路区間がほとんどないかもしくは距離に関して既知の光路区間を進むか、
または前記第２の信号を電子的に前記クロック制御部（１１）によりクロッキングして伝送することによって形成し、
（ｄ）前記第１の信号と前記第２の信号のクロック周期を種々の区間、少なくとも４つの（第１〜第４）区間（Ａ，Ｂ，Ｃ，Ｄ）に分割するステップ、
（ｅ）第１の制御信号（Ｓ１６）を、所定（第１，第３）の前記区間（ＡとＣ）のクロック同期した信号成分に依存して、第１の同期復調器（Ｄ２）よって検出するステップ、
（ｆ）位相シフタ（１７）を前記第１の制御信号（Ｓ１６）によって制御し、前記クロック同期した信号成分をゼロ信号にするステップ、
（ｇ）第２の制御信号（Ｓ１５）を別の（第２，第４）区間（Ｂ，Ｄ）に依存して、第２の同期復調器（Ｄ１）によって検出するステップ、
（ｈ）前記第１の送信器（１２）および／または第２の受信器（２１）のビーム出力の振幅を追従制御するために、前記第２の制御信号（Ｓ１５）によって、または電子的な第２の制御信号（Ｓ１５）の伝送によって出力制御器（１８）を制御し、
これにより、両方の場合とも前記第１の信号ならびに第２の信号（Ｓ１３）を、ゼロ状態に対応する信号にするステップ、
（ｉ）前記第１の信号ならびに前記第２の信号（Ｓ１３）がゼロ状態に対応する信号になるとき第２の制御信号（Ｓ１５）において発生する位相シフタ（１７）の遅延を、前記放射された光の光伝搬時間の検出に使用するステップ、
を有することを特徴とする方法。
【請求項２】
請求項１の記載の方法において、
前記光区間（１４）からの第１の信号（Ｓ１３）と前記第２の信号（Ｓ１３）とを第１の比較器（１５）の出力端に比較値を形成するためクロックに従って比較し、
前記比較値を，前記第１の信号（Ｓ１３）および／または前記第２の信号の振幅値を制御するための第２の制御信号（Ｓ１５）として使用し、これにより前記第１の信号（Ｓ１３）および前記第２の信号が、前記第１の比較器（１５）の少なくとも入力端において実質的に同じ大きさであるようにし、
クロック変化の際生成し、前記光伝搬時間に対応し、短いピークを有する、前記第１の信号と第２の信号との間のクロック変化信号（ＴＷ）を、前記第１の比較器（１５）の入力端において、前記第１の信号（Ｓ１３）と前記第２の信号（Ｓ１３）の制御量が実質的に同じ大きさに制御されたときにクロックに従って検出し、
前記第１の信号（Ｓ１３）と前記第２の信号（Ｓ１３）との間のクロック変化信号（ＴＷ）を第２の比較器（１６）で比較することによって第１の制御信号（Ｓ１６）を検出する、
ことを特徴とする方法。
【請求項３】
請求項１または２記載の方法において、
前記第２の信号は、第２の光区間から少なくとも１つの受信器（１３）によって受信された受信信号であるか、または電子区間を介して伝送される信号である、ことを特徴とする方法。
【請求項４】
請求項２または３記載の方法において、
前記第１の信号（Ｓ１３）と前記第２の信号との比較は、振幅検出のための第２の同期復調器（Ｄ１）の第１の比較器（１５）の出力端に比較値を形成するために行い、
前記比較器は、前記第２の信号および／または前記第１の信号（Ｓ１３）の振幅値を実質的に同じ大きさに制御し、
同時に、反射率および温度の影響が、前記第２の制御信号（Ｓ１５）を前記第１の比較器（１５）の出力端において、少なくとも１つの送信器（１２）の光出力を調整することによりゼロ状態に制御することによって補償される、
ことを特徴とする方法。
【請求項５】
請求項１から４までのいずれか一項記載の方法において、
クロック変化の際生成し、前記光区間（１４）での光伝搬時間に相応する、前記第１の信号（Ｓ１３）と前記第２の信号との間、ないしは第２の信号と前記第１の信号（Ｓ１３）との間のクロック変化信号（ＴＷ）をクロックに従って検出する際、制御された状態でのノイズ中のクロック変化信号の振幅は、前記第１の比較器（１５）の入力端において前記第１の信号（Ｓ１３）と前記第２の信号との制御量が実質的に同じ大きさであるよう調整される、ことを特徴とする方法。
【請求項６】
請求項１から５までのいずれか一項記載の方法において、
受信器（１３）として、部分的に非透明性に被覆されたフォトダイオードが使用される、
ことを特徴とする方法。
【請求項７】
請求項１から６までのいずれか一項記載の方法において、
前記クロック変化信号（ＴＷ）の振幅が検出され、
前記制御回路は前記位相シフタ（１７）を、前記クロック変化信号が最小になるように制御する、
ことを特徴とする方法。
【請求項８】
請求項１から７までのいずれか一項記載の方法において、
符合が変化するクロック変化信号（ＴＷ）はゲート回路によって検出され、
前記クロック変化信号（ＴＷ）間の振幅−差値（Ｓ１６）が、前記制御回路の制御量として使用され、これにより前記振幅−差値（Ｓ１６）はゼロに制御され、これにより前記位相シフタ（１７）の調整が検出され、
前記クロック変化信号（ＴＷ）の振幅は、前記送信器（１２、２１）の切替後に測定され、前記位相シフタ（１７）によってゼロに制御される、
ことを特徴とする方法。
【請求項９】
請求項１から８までのいずれか一項記載の方法において、
前記光区間（１４）から第１の受信信号（Ｓ１３）と、前記第２の信号が導かれる区間からの受信信号とは第１〜第４の区間（Ａ，Ｂ，Ｃ，Ｄ）に分割され、
クロック変化の２つの（第１、第３）区間（Ａ．Ｃ）の間にある他の（第２，第４）の区間（Ｂ、Ｄ）は、ゲート回路によって前記クロック制御部（１１）のクロックで、前記第１の信号と前記第２の信号とを比較し、比較値を前記第１の比較器（１５）の出力端に形成するために使用される、
ことを特徴とする方法。
【請求項１０】
請求項１から９までのいずれか一項記載の方法において、
前記対象物の種々異なる反射特性を調整するために、前記少なくとも１つの第１の送信器（１２）および第２の送信器（２１）および／または補償光源が前記受信器（１３）において同じ振幅になるよう制御される、
ことを特徴とする方法。
【請求項１１】
請求項１０記載の方法において、
振幅を制御するためにＬＥＤの少なくとも１つが制御され、前記ＬＥＤは前記少なくとも１つの第１の送信器（１２）、前記第２の送信器（２１）および／または補償光源として設けられている
ことを特徴とする方法。
【請求項１２】
請求項１０または１１記載の方法において、
その際発生する制御電圧は、前記対象物の反射を検出するための測定値（９４）として評価される、
ことを特徴とする方法。
【請求項１３】
請求項１から１２までのいずれか一項記載の方法において、
前記クロック変化の（第１、第３）区間（Ａ，Ｃ）で検出された信号は距離測定のために使用される、
ことを特徴とする方法。
【請求項１４】
光伝搬時間の測定装置において、
（ａ）光信号をクロックにより変調して光区間（１４）に入射するための第１の送信器（１２）とクロック制御部（１１）を備え、
ただし前記光信号は前記送信器（１２）から対象物（Ｏ）に達し、該対象物（Ｏ）から少なくとも１つの受信器（１３）に反射され、
（ｂ）前記受信器（１３）の出力端（１３ａ）では、前記反射された光信号に依存する第１の信号（Ｓ１３）が形成可能であり、
前記受信器の出力端（１３ａ）には第２の信号（Ｓ１３）が形成可能であり、
該第２の信号（Ｓ１３）は、電子的にクロック制御部によりロッキングされる伝送によって、または同じクロックではあるが、インバータ（２２）により反射されたクロックを有する第２の光信号を、第２の送信器（２１）により前記受信器（１３）に照射することによって形成可能であり、
（ｃ）前記第１の信号（Ｓ１３）と前記第２の信号（Ｓ１３）のクロック周期は、種々の区間、少なくとも４つの（第１〜第４）区間（Ａ，Ｂ，Ｃ，Ｄ）に分割可能であり、
（ｄ）第１の同期復調器（Ｄ２）を備え、該第１の同期復調器によって第１の制御信号（Ｓ１６）を所定（第１、第３）の前記区間（ＡとＣ）のクロック同期した信号成分に依存して検出可能であり、
（ｅ）位相シフタ（１７）を備え、該位相シフタは前記第１の制御信号（Ｓ１６）によって、前記クロック同期した信号成分がゼロ信号になるように制御可能であり、
（ｆ）第２の同期復調器（Ｄ１）を備え、該第２の同期復調器によって第２の制御信号（Ｓ１５）が他の（第２、第４）区間（ＢとＤ）に依存して検出可能であり、
（ｇ）前記第２の制御信号（Ｓ１５）は電子的に伝送され、これにより前記第１の信号（Ｓ１３）ならびに前記第２の信号（Ｓ１３）は、ゼロ状態に対応する信号になるか、
または、前記第１送信器（１２）および／または前記第２の送信器のビーム出力の振幅を追従制御するための出力制御器（１８）を備え、該出力制御器は前記第２の制御信号（Ｓ１５）によって、前記第１の信号（Ｓ１３）ならびに前記第２の信号（Ｓ１３）がゼロ状態に対応する信号になるように制御可能であり、
（ｈ）前記第１の信号（Ｓ１３）ならびに前記第２の信号（Ｓ１３）がゼロ状態に対応する信号になるとき第２の制御信号（Ｓ１５）において生成する位相シフタ（１７）の遅延が、放射された光信号の光伝搬時間の検出に使用可能である、
ことを特徴とする装置。
【請求項１５】
請求項１４記載の装置において、
前記第１の信号および／または前記第２の信号の振幅値を制御するための前記電力制御器（１８）は、比較値を形成するために設けられており、これにより前記第１の信号および前記第２の信号が、前記第１の比較器（１５）の少なくとも入力端において実質的に同じ大きさであるようにされ、
ピークを有するクロック変化信号（ＴＷ）の第１の制御信号（Ｓ１６）を検出する第２の比較器（１６）が前記第１の比較器（１５）の後位に配設されており、
前記クロック変化信号の検出は、前記クロックに従って検出するための第１の同期復調器（Ｄ２）によって前記第１の比較器（１５）の比較値に基づき、該第１の比較器（１５）の入力端において前記光区間（１４）からの第１の信号と第２の信号との制御量が実質的に同じ大きさになるように行われる、
ことを特徴とする装置。
【請求項１６】
請求項１５の記載の装置において、
前記第１の比較器（１５）は、振幅検知のための第２の同期復調器（Ｄ１）の一部である、
ことを特徴とする装置。
【請求項１７】
請求項１４から１６までのいずれか一項記載の装置において、
前記受信器（１３）は、部分的に非透明性に被覆されたフォトダイオードである、
ことを特徴とする装置。
【請求項１８】
請求項１４から１７までのいずれか一項記載の装置において、
クロック変化信号（ＴＷ）をクロックに従って検出する手段としてゲート回路が設けられており、
該ゲート回路は、符合の変化するクロック変化信号（ＴＷ）を検出する、
を特徴とする請求項１７に記載の装置。
【請求項１９】
請求項１４から１８までのいずれか一記載の装置において、
前記第１の送信器（１２）は、前記第２の受信器（２１）および／または前記補償光源は少なくとも部分的に、ＬＥＤによって形成されている、
ことを特徴とする装置。
【手続補正２】
【補正対象書類名】明細書
【補正対象項目名】０００２
【補正方法】変更
【補正の内容】
【０００２】
発明の分野
本発明は、請求項１および１４の上位概念による、とりわけカメラのための光伝搬時間測定方法および装置に関する。
【手続補正３】
【補正対象書類名】明細書
【補正対象項目名】００１５
【補正方法】変更
【補正の内容】
【００１５】
この課題は請求項１の特徴部分の構成を有する方法によって、および請求項１４の特徴部分の構成を有する装置によって解決される。
即ち、本発明の第１の視点において、とりわけカメラのための光伝搬時間測定方法が提供される。該方法は、以下のステップ（ａ）〜（ｉ）を含む：
（ａ）クロック制御部によりクロック変調され、第１の送信器を介して放射される第一の光信号を少なくとも１つの光区間に入射するステップ、
ただし前記第１の信号光は前記第１の送信機から対象物（Ｏ）に達し、該対象物（Ｏ）から少なくとも１つの受信機に反射され、
（ｂ）反射された第１の光信号に依存する第１の信号（Ｓ１３）を、前記受信機によって該受信器の出力端に形成するステップ、
（ｃ）第２の送信器から入射された第２の光信号に依存する第２の信号（Ｓ１３）を、前記受信機によって該受信器の出力端に、同じクロックではるがインバータにより反転されたクロックを有する第２の光信号を前記第２の送信器により前記受信器に入射することによって形成するステップ、
ただし前記第２の光信号は光路区間がほとんどないかもしくは距離に関して既知の光路区間を進むか、
または前記第２の信号を電子的に前記クロック制御部によりクロッキングして伝送することによって形成し、
（ｄ）前記第１の信号と前記第２の信号のクロック周期を種々の区間、少なくとも４つの（第１〜第４）区間（Ａ，Ｂ，Ｃ，Ｄ）に分割するステップ、
（ｅ）第１の制御信号（Ｓ１６）を、所定（第１，第３）の前記区間（ＡとＣ）のクロック同期した信号成分に依存して、第１の同期復調器（Ｄ２）よって検出するステップ、
（ｆ）位相シフタを前記第１の制御信号（Ｓ１６）によって制御し、前記クロック同期した信号成分をゼロ信号にするステップ、
（ｇ）第２の制御信号（Ｓ１５）を別の（第２，第４）区間（Ｂ，Ｄ）に依存して、第２の同期復調器（Ｄ１）によって検出するステップ、
（ｈ）前記第１の送信器および／または第２の受信器のビーム出力の振幅を追従制御するために、前記第２の制御信号（Ｓ１５）によって、または電子的な第２の制御信号（Ｓ１５）の伝送によって出力制御器を制御し、
これにより、両方の場合とも前記第１の信号ならびに第２の信号（Ｓ１３）を、ゼロ状態に対応する信号にするステップ、
（ｉ）前記第１の信号ならびに前記第２の信号（Ｓ１３）がゼロ状態に対応する信号になるとき第２の制御信号（Ｓ１５）において発生する位相シフタの遅延を、前記放射された光の光伝搬時間の検出に使用するステップ。
また、本発明の第２の視点において、光伝搬時間の測定装置が提供される。該測定装置は、以下の要素（ａ）〜（ｈ）を含む：
（ａ）光信号をクロックにより変調して光区間に入射するための第１の送信器とクロック制御部を備え、
ただし前記光信号は前記送信器から対象物（Ｏ）に達し、該対象物（Ｏ）から少なくとも１つの受信器に反射され、
（ｂ）前記受信器の出力端では、前記反射された光信号に依存する第１の信号（Ｓ１３）が形成可能であり、
前記受信器の出力端には第２の信号（Ｓ１３）が形成可能であり、
該第２の信号（Ｓ１３）は、電子的にクロック制御部によりロッキングされる伝送によって、または同じクロックではあるが、インバータにより反射されたクロックを有する第２の光信号を、第２の送信器により前記受信器に照射することによって形成可能であり、
（ｃ）前記第１の信号（Ｓ１３）と前記第２の信号（Ｓ１３）のクロック周期は、種々の区間、少なくとも４つの（第１〜第４）区間（Ａ，Ｂ，Ｃ，Ｄ）に分割可能であり、
（ｄ）第１の同期復調器（Ｄ２）を備え、該第１の同期復調器によって第１の制御信号（Ｓ１６）を所定（第１、第３）の前記区間（ＡとＣ）のクロック同期した信号成分に依存して検出可能であり、
（ｅ）位相シフタを備え、該位相シフタは前記第１の制御信号（Ｓ１６）によって、前記クロック同期した信号成分がゼロ信号になるように制御可能であり、
（ｆ）第２の同期復調器（Ｄ１）を備え、該第２の同期復調器によって第２の制御信号（Ｓ１５）が他の（第２、第４）区間（ＢとＤ）に依存して検出可能であり、
（ｇ）前記第２の制御信号（Ｓ１５）は電子的に伝送され、これにより前記第１の信号（Ｓ１３）ならびに前記第２の信号（Ｓ１３）は、ゼロ状態に対応する信号になるか、
または、前記第１送信器および／または前記第２の送信器のビーム出力の振幅を追従制御するための出力制御器を備え、該出力制御器は前記第２の制御信号（Ｓ１５）によって、前記第１の信号（Ｓ１３）ならびに前記第２の信号（Ｓ１３）がゼロ状態に対応する信号になるように制御可能であり、
（ｈ）前記第１の信号（Ｓ１３）ならびに前記第２の信号（Ｓ１３）がゼロ状態に対応する信号になるとき第２の制御信号（Ｓ１５）において生成する位相シフタの遅延が、放射された光信号の光伝搬時間の検出に使用可能である。
本発明において、以下の好ましい形態が可能である。
（形態１）＝第１の視点のとおり。
（形態２）
形態１に記載の方法において、
前記光区間からの第１の信号（Ｓ１３）と前記第２の信号（Ｓ１３）とを第１の比較器の出力端に比較値を形成するためクロックに従って比較し、
前記比較値を，前記第１の信号（Ｓ１３）および／または前記第２の信号の振幅値を制御するための第２の制御信号（Ｓ１５）として使用し、これにより前記第１の信号（Ｓ１３）および前記第２の信号が、前記第１の比較器の少なくとも入力端において実質的に同じ大きさであるようにし、
クロック変化の際生成し、前記光伝搬時間に対応し、短いピークを有する、前記第１の信号と第２の信号との間のクロック変化信号（ＴＷ）を、前記第１の比較器の入力端において、前記第１の信号（Ｓ１３）と前記第２の信号（Ｓ１３）の制御量が実質的に同じ大きさに制御されたときにクロックに従って検出し、
前記第１の信号（Ｓ１３）と前記第２の信号（Ｓ１３）との間のクロック変化信号（ＴＷ）を第２の比較器で比較することによって第１の制御信号（Ｓ１６）を検出する、
ことが好ましい。
（形態３）
形態１または２記載の方法において、
前記第２の信号は、第２の光区間から少なくとも１つの受信器によって受信された受信信号であるか、または電子区間を介して伝送される信号である、ことが好ましい。
（形態４）
形態２または３記載の方法において、
前記第１の信号（Ｓ１３）と前記第２の信号との比較は、振幅検出のための第２の同期復調器（Ｄ１）の第１の比較器の出力端に比較値を形成するために行い、
前記比較器は、前記第２の信号および／または前記第１の信号（Ｓ１３）の振幅値を実質的に同じ大きさに制御し、
同時に、反射率および温度の影響が、前記第２の制御信号（Ｓ１５）を前記第１の比較器の出力端において、少なくとも１つの送信器の光出力を調整することによりゼロ状態に制御することによって補償される、
ことが好ましい。
（形態５）
形態１から４までのいずれか一項記載の方法において、
クロック変化の際生成し、前記光区間での光伝搬時間に相応する、前記第１の信号（Ｓ１３）と前記第２の信号との間、ないしは第２の信号と前記第１の信号（Ｓ１３）との間のクロック変化信号（ＴＷ）をクロックに従って検出する際、制御された状態でのノイズ中のクロック変化信号の振幅は、前記第１の比較器の入力端において前記第１の信号（Ｓ１３）と前記第２の信号との制御量が実質的に同じ大きさであるよう調整される、ことが好ましい。
（形態６）
形態１から５までのいずれか一項記載の方法において、
受信器として、部分的に非透明性に被覆されたフォトダイオードが使用される、
ことが好ましい。
（形態７）
形態１から６までのいずれか一項記載の方法において、
前記クロック変化信号（ＴＷ）の振幅が検出され、
前記制御回路は前記位相シフタを、前記クロック変化信号が最小になるように制御する、
ことが好ましい。
（形態８）
形態１から７までのいずれか一項記載の方法において、
符合が変化するクロック変化信号（ＴＷ）はゲート回路によって検出され、
前記クロック変化信号（ＴＷ）間の振幅−差値（Ｓ１６）が、前記制御回路の制御量として使用され、これにより前記振幅−差値（Ｓ１６）はゼロに制御され、これにより前記位相シフタの（調整）装置が検出され、
前記クロック変化信号（ＴＷ）の振幅は、前記送信器の切替後に測定され、前記位相シフタによってゼロに制御される、
ことが好ましい。
（形態９）
形態１から８までのいずれか一項記載の方法において、
前記光区間から第１の受信信号（Ｓ１３）と、前記第２の信号が導かれる区間からの受信信号とは第１〜第４の区間（Ａ，Ｂ，Ｃ，Ｄ）に分割され、
クロック変化の２つの（第１、第３）区間（Ａ．Ｃ）の間にある他の（第２，第４）の区間（Ｂ、Ｄ）は、ゲート回路によって前記クロック制御部のクロックで、前記第１の信号と前記第２の信号とを比較し、比較値を前記第１の比較器の出力端に形成するために使用される、
ことが好ましい。
（形態１０）
形態１から９までのいずれか一項記載の方法において、
前記対象物の種々異なる反射特性を調整するために、前記少なくとも１つの第１の送信器および第２の送信器および／または補償光源が前記受信器において同じ振幅になるよう制御される、
ことが好ましい。
（形態１１）
形態１０記載の方法において、
振幅を制御するためにＬＥＤの少なくとも１つが制御され、前記ＬＥＤは前記少なくとも１つの第１の送信器、前記第２の送信器および／または補償光源として設けられている
ことが好ましい。
（形態１２）
形態１０または１１記載の方法において、
その際発生する制御電圧は、前記対象物の反射を検出するための測定値として評価される、
ことが好ましい。
（形態１３）
形態１から１２までのいずれか一項記載の方法において、
前記クロック変化の（第１、第３）区間（Ａ，Ｃ）で検出された信号は距離測定のために使用される、
ことが好ましい。
（形態１４）＝第２の視点のとおり。
（形態１５）
形態１４記載の装置において、
前記第１の信号および／または前記第２の信号の振幅値を制御するための前記電力制御器は、比較値を形成するために設けられており、これにより前記第１の信号および前記第２の信号が、前記第１の比較器の少なくとも入力端において実質的に同じ大きさであるようにされ、
ピークを有するクロック変化信号（ＴＷ）の第１の制御信号（Ｓ１６）を検出する第２の比較器が前記第１の比較器の後位に配設されており、
前記クロック変化信号の検出は、前記クロックに従って検出するための第１の同期復調器（Ｄ２）によって前記第１の比較器の比較値に基づき、該第１の比較器の入力端において前記光区間からの第１の信号と第２の信号との制御量が実質的に同じ大きさになるように行われる、
ことが好ましい。
（形態１６）
形態１５の記載の装置において、
前記第１の比較器は、振幅検知のための第２の同期復調器（Ｄ１）の一部である、
ことが好ましい。
（形態１７）
形態１４から１６までのいずれか一項記載の装置において、
前記受信器は、部分的に非透明性に被覆されたフォトダイオードである、
ことが好ましい。
（形態１８）
形態１４から１７までのいずれか一項記載の装置において、
クロック変化信号（ＴＷ）をクロックに従って検出する手段としてゲート回路が設けられており、
該ゲート回路は、符合の変化するクロック変化信号（ＴＷ）を検出する、
ことが好ましい。
（形態１９）
形態１４から１８までのいずれか一記載の装置において、
前記第１の送信器は、前記第２の受信器および／または前記補償光源は少なくとも部分的に、ＬＥＤによって形成されている、
ことが好ましい。
なお、特許請求の範囲の各請求項及び上記の「形態」に付記した図面参照符号は、専ら理解を助けるためのものであり、図示の態様に限定することを意図するものではない。